(57)【特許請求の範囲】
【請求項１】
電源回路および情報の授受を行う情報口を具備し壁に固定される本体モジュールと、本体モジュールの前面側に着脱可能に覆着され、前記電源回路から電力供給を受ける情報入力手段および情報出力手段の少なくとも一方を具備する露出パネルとを備え、露出パネルは、情報入力手段および情報出力手段の少なくとも一方が配設されたパネル本体と、パネル本体の周囲に一体に形成されたプレート枠と、プレート枠の前面の全域を覆うようにプレート枠の前面側に着脱可能に覆着される枠状のプレートカバーとを有し、露出パネルには、本体モジュールに設けた固定係止部に係合する可動係止部と、操作部の操作に応じて固定係止部に可動係止部を係合させる係合位置と当該係合を解除させる解除位置との間を移動する操作子とが設けられ、操作部は、プレート枠のうち、プレートカバーを覆着した状態でプレートカバーに覆われ、プレートカバーを取り外した状態で露出する部位に配置されていることを特徴とする情報装置。
【請求項２】
前記操作子は前記可動係止部と一体に形成されており、前記露出パネルは、操作子を前記係合位置側にばね付勢する付勢手段を具備することを特徴とする請求項１記載の情報装置。
【請求項３】
前記可動係止部は、１個の前記操作子に対して複数個連動していることを特徴とする請求項１または請求項２記載の情報装置。
【請求項４】
前記露出パネルは、前記操作子の一部が収容される収容空間を有し、収容空間の後壁には、操作子が挿入されることで操作子の移動をガイドするガイド溝が形成され、操作子は、収容空間の後壁におけるガイド溝の開口周縁に係止され前後方向への移動が規制されるガイド突起を有することを特徴とする請求項１ないし請求項３のいずれか１項に記載の情報装置。
【請求項５】
前記操作子は、前記本体モジュールの前面に沿う面内で一方向にスライドすることで前記係合位置と前記解除位置との間を移動し、前記操作部は、前記一方向の少なくとも一端面が、本体モジュールの前面に沿う断面を弧状とする凹曲面を成していることを特徴とする請求項１ないし請求項４のいずれか１項に記載の情報装置。
【請求項６】
前記操作子は、棒状であって長手方向の一端部が前記プレート枠と連続一体に形成されており、他端部で前記可動係止部を移動させることを特徴とする請求項１記載の情報装置。
【請求項７】
前記パネル本体と前記プレート枠とは、前記本体モジュールに前記露出パネルが装着された状態で本体モジュールの周囲の壁面にプレート枠を弾接させるように、可撓性を有する複数の支持片によって一体に連結されていることを特徴とする請求項１ないし請求項６のいずれか１項に記載の情報装置。
【請求項８】
前記露出パネルは、前記本体モジュールに装着された状態で本体モジュールの周囲の壁面に前記プレート枠を当接させるものであって、プレート枠の背面側における壁面との当接部位が弾性材料から形成されていることを特徴とする請求項１ないし請求項７のいずれか１項に記載の情報装置。
【請求項９】
前記パネル本体と前記プレート枠とは、可撓性を有する複数の支持片によって一体に連結されており、パネル本体は、支持片に隣接する形で外周面から支持片の前方に突出する規制片を有することを特徴とする請求項１ないし請求項８のいずれか１項に記載の情報装置。
【発明の詳細な説明】
【技術分野】
【０００１】
本発明は、壁に取り付けて使用される情報装置に関するものである。
【背景技術】
【０００２】
従来から、この種の情報装置には、たとえば宅外に設置された相手側装置としてのドアホン子器に対して信号線を用いて接続されることによりインターホンシステムを構築し、相手側装置との間で通信可能となるもの（インターホン親機）などがある（たとえば特許文献１参照）。特許文献１に例示された情報装置は、壁内に器体の後部が埋め込まれた形で取り付けられる。なお、インターホン親機として用いる情報装置には、映像表示部を備え、カメラが設けられた相手側装置に接続されることにより、相手側装置のカメラで撮像された映像を表示することができるものもある。
【０００３】
ところで、上述の情報装置では、電源回路等の内部回路や映像表示部等の情報出力手段が全て１つの器体に配設されており、そのため、情報装置の機能（たとえば映像表示部の画面サイズなど）を一部でも変更する場合には、情報装置全体を交換する必要がある。
【０００４】
これに対して、電源回路および情報の授受を行う情報口を具備し壁に固定される本体モジュールと、本体モジュールの前面側に着脱可能に覆着され、本体モジュールの電源回路から電力供給を受ける情報出力手段を具備する露出パネルとに情報装置を分割し、露出パネルを本体モジュールとは別に交換可能とすることが考えられている。この構成では、本体モジュールを共通としておけば、露出パネルを交換することで情報装置の機能（たとえば映像表示部の画面サイズなど）を容易に変更することができる。
【０００５】
このように本体モジュールと露出パネルとに分割された情報装置においては、露出パネルと本体モジュールとの一方に設けた係止爪を他方に設けた係止孔に挿入し、係止爪の先端部を係止孔の開口周縁に係止させることで、露出パネルを本体モジュールに係着することが考えられる。
【特許文献１】特開平６−２９１８１８号公報
【発明の開示】
【発明が解決しようとする課題】
【０００６】
しかし、上記構成の情報装置において、係止爪と係止孔との係合の強度を高く設計すると、本体モジュールに対して露出パネルを着脱する際に係止爪が破損し易いため、露出パネルの着脱を慎重に行う必要があり、露出パネルの交換には手間が掛かるという問題がある。一方、露出パネルを本体モジュールに対して容易に着脱できる程度に係止爪と係止孔との係合の強度を低く設計すると、情報装置の普段の使用中に、露出パネルに対して係止爪と係止孔との係合を解除する向きの力が作用することにより、露出パネルが不用意に本体モジュールから外れて落下する可能性があり、好ましくない。
【０００７】
本発明は上記事由に鑑みて為されたものであって、露出パネルを本体モジュールに対して容易に着脱可能としながらも、普段の使用中において不用意に露出パネルが本体モジュールから外れてしまうことのない情報装置を提供することを目的とする。
【課題を解決するための手段】
【０００８】
請求項１の発明は、電源回路および情報の授受を行う情報口を具備し壁に固定される本体モジュールと、本体モジュールの前面側に着脱可能に覆着され、前記電源回路から電力供給を受ける情報入力手段および情報出力手段の少なくとも一方を具備する露出パネルと
を備え、露出パネルが、情報入力手段および情報出力手段の少なくとも一方が配設されたパネル本体と、パネル本体の周囲に一体に形成されたプレート枠と、プレート枠の前面の全域を覆うようにプレート枠の前面側に着脱可能に覆着される枠状のプレートカバーとを有し、露出パネルには、本体モジュールに設けた固定係止部に係合する可動係止部と、操作部の操作に応じて固定係止部に可動係止部を係合させる係合位置と当該係合を解除させる解除位置との間を移動する操作子とが設けられ、操作部が、プレート枠のうち、プレートカバーを覆着した状態でプレートカバーに覆われ、プレートカバーを取り外した状態で露出する部位に配置されていることを特徴とする。
【０００９】
この構成によれば、操作子の操作部は、プレート枠のうち、プレートカバーを覆着した状態でプレートカバーに覆われ、プレートカバーを取り外した状態で露出する部位に配置されているので、プレート枠にプレートカバーを覆着した状態では操作することができない。したがって、露出パネルを本体モジュールに対して着脱する際には、プレートカバーを取り外すことで操作部を操作可能として露出パネルを容易に着脱可能としながらも、情報装置の普段の使用中においては、プレートカバーを覆着しておくことで操作部の操作を禁止して、露出パネルが本体モジュールから不用意に外れてしまうことを回避できる。
【００１０】
請求項２の発明は、請求項１の発明において、前記操作子が前記可動係止部と一体に形成されており、前記露出パネルが、操作子を前記係合位置側にばね付勢する付勢手段を具備することを特徴とする。
【００１１】
この構成によれば、操作子は係合位置側にばね付勢されているので、情報装置に衝撃が加わることがあっても、可動係止部と本体モジュールとの係合は維持され、露出パネルが本体モジュールから外れにくいという利点がある。
【００１２】
請求項３の発明は、請求項１または請求項２の発明において、前記可動係止部が、１個の前記操作子に対して複数個連動していることを特徴とする。
【００１３】
この構成によれば、１個の操作子を操作するだけで複数個の可動係止部を同時に移動させることができ、したがって、複数個の可動係止部のそれぞれに個別に連結された複数個の操作子を同時に操作する場合に比べて、操作子の操作が容易になる。また、可動係止部ごとに個別に操作子を設ける場合に比べて部品点数を削減することができる。
【００１４】
請求項４の発明は、請求項１ないし請求項３のいずれかの発明において、前記露出パネルが、前記操作子の一部が収容される収容空間を有し、収容空間の後壁には、操作子が挿入されることで操作子の移動をガイドするガイド溝が形成され、操作子が、収容空間の後壁におけるガイド溝の開口周縁に係止され前後方向への移動が規制されるガイド突起を有することを特徴とする。
【００１５】
この構成によれば、ガイド溝によって操作子の移動がガイドされるとともに、ガイド突起をガイド溝の開口周縁に係止させることによって前後方向への移動が規制されるので、操作子はパネル本体に対してがたつきにくくなり、操作子の操作性が向上する。
【００１６】
請求項５の発明は、請求項１ないし請求項４のいずれかの発明において、前記操作子が、前記本体モジュールの前面に沿う面内で一方向にスライドすることで前記係合位置と前記解除位置との間を移動し、前記操作部が、前記一方向の少なくとも一端面が、本体モジュールの前面に沿う断面を弧状とする凹曲面を成していることを特徴とする。
【００１７】
この構成によれば、操作部の前記一方向の両端面が平面の操作子に比べて、操作子を操作する際に操作者の指が操作部に掛かりやすくなり、操作子の操作性が向上する。
【００１８】
請求項６の発明は、請求項１の発明において、前記操作子が、棒状であって長手方向の一端部が前記プレート枠と連続一体に形成されており、他端部で前記可動係止部を移動させることを特徴とする。
【００１９】
この構成によれば、操作子は、棒状であって長手方向の一端部が前記プレート枠と連続一体に形成されているので、プレート枠と別体の操作子を用いる場合に比べて部品点数を削減することができる。
【００２０】
請求項７の発明は、請求項１ないし請求項６のいずれかの発明において、前記パネル本体と前記プレート枠とが、前記本体モジュールに前記露出パネルが装着された状態で本体モジュールの周囲の壁面にプレート枠を弾接させるように、可撓性を有する複数の支持片によって一体に連結されていることを特徴とする。
【００２１】
この構成によれば、露出パネルは、本体モジュールに装着された状態で、支持片を撓ませながら本体モジュールの周囲の壁面にプレート枠を弾接させるので、プレート枠と壁面との間に隙間が生じにくくなる。これにより、露出パネルと本体モジュールとの間に塵埃が入りやすくなったり、見映えが悪くなったりすることを防止できる。
【００２２】
請求項８の発明は、請求項１ないし請求項７のいずれかの発明において、前記露出パネルが、前記本体モジュールに装着された状態で本体モジュールの周囲の壁面に前記プレート枠を当接させるものであって、プレート枠の背面側における壁面との当接部位が弾性材料から形成されていることを特徴とする。
【００２３】
この構成によれば、プレート枠を壁面に当接させると、プレート枠における壁面との当接部位は壁面の形状に応じて弾性変形することで壁面に密着するから、壁面に多少の凹凸があってもプレート枠と壁面との間に隙間を生じることはない。これにより、露出パネルと本体モジュールとの間に塵埃が入りやすくなったり、見映えが悪くなったりすることを防止できる。
【００２４】
請求項９の発明は、請求項１ないし請求項８のいずれかの発明において、前記パネル本体と前記プレート枠とが、可撓性を有する複数の支持片によって一体に連結されており、パネル本体が、支持片に隣接する形で外周面から支持片の前方に突出する規制片を有することを特徴とする。
【００２５】
この構成によれば、パネル本体は、支持片に隣接する形で外周面から支持片の前方に突出する規制片を有するので、プレートカバーを取り外す際などにプレート枠が前方に引っ張られることがあっても、支持片が規制片に当接することでプレート枠の前方への移動量が規制されるので、プレート枠と壁面との間に隙間が生じにくくなる。
【発明の効果】
【００２６】
本発明は、操作子の操作部が、プレートカバーを覆着した状態でプレートカバーに覆われ、プレートカバーを取り外した状態では露出する部位に配置されているので、プレートカバーを覆着した状態では操作子を操作することができない。したがって、プレートカバーを取り外すことで操作部を操作可能として露出パネルを容易に着脱可能としながらも、情報装置の普段の使用中においては、プレートカバーを覆着しておくことで操作部の操作を禁止すれば、露出パネルが本体モジュールから不用意に外れてしまうことはない。
【発明を実施するための最良の形態】
【００２７】
以下の各実施形態では、宅内の壁に取り付けられ、宅外に設置された相手側装置としてのドアホン子器に対して信号線を用いて接続されることによりインターホンシステムを構築し、相手側装置との間で通信（通話）可能となるインターホン親機を情報装置の一例として、本発明の情報装置の構成を説明する。
【００２８】
この情報装置は映像表示部を備えており、来訪者を撮像するカメラ部が設けられた相手側装置に接続されることにより、相手側装置のカメラ部で撮像された映像を表示することができる。なお、相手側装置は、カメラ部の他、操作入力が可能な操作部と、スピーカおよびマイクロフォンを具備し情報装置との通話時に音声の入出力を行う音声入出力部と、音声信号や映像信号の入出力を行う信号処理部と、信号線が接続される端子部とを有している。
【００２９】
（実施形態１）
本実施形態の情報装置Ａは、図２（ａ）に示すように、壁に固定される本体モジュールＭと、本体モジュールＭの前面側に着脱可能に覆着される露出パネルＰとを備えている。露出パネルＰは本体モジュールＭに装着された状態で、コネクタ４，５によって本体モジュールＭと電気的に接続される。以下では、情報装置Ａを壁に取り付けた状態で正面から見た上下左右を上下左右として説明する。
【００３０】
本体モジュールＭは、図２（ｂ）に示すように、前面に矩形状の開口部を有する箱状に形成されたボディ１と、ボディ１の前面に覆着されるカバー２とで構成される器体３を備え、種々の電気部品が実装されている回路基板（図示せず）が器体３内に収納された構成を有する。さらに、本体モジュールＭは、商用電源供給用の電源線が接続される電源端子部６と、信号線が接続される信号端子部７とを器体３の背面側に備えている。ボディ１とカバー２とは、カバー２の上下方向の各端部から後方に突出した結合片８に設けた孔に、ボディ１の上下方向の両端面における前端部に設けた結合爪９をそれぞれ係合させることにより結合される。
【００３１】
この本体モジュールＭは、壁面からの器体３の突出量を小さく抑え、且つ、一般に普及している埋込型の配線器具との外観上の統一感を出すとともに、取り付けに用いる部材の低コスト化を図るために、壁内に設置された埋込型の配線器具用の埋込ボックスＳＢ（図４参照）を用いて壁に取り付けられる。埋込ボックスＳＢは、前面開口の箱状に形成されており、壁面を構成する壁材Ｗ（図４参照）において埋込ボックスＳＢに対応する部分には、埋込ボックスＳＢの開口より小さい矩形状であって、埋込ボックスＳＢに設けた取付ねじ用のねじ孔（図示せず）を全て露出させる大きさの施工孔Ｈ１が開設される。本体モジュールＭは、この施工孔Ｈ１を通して前方から埋込ボックスＳＢに取り付けられるのであって、器体３が後部を埋込ボックスＳＢ内に収納可能な形状および寸法に形成されている。
【００３２】
すなわち、本体モジュールＭのカバー２は、上下方向の各端面のそれぞれから互いに離れる向きに延設された一対の取付片１０を連続一体に有する。一対の取付片１０は、カバー２の左右方向の略全長に亘って形成される。各取付片１０には、埋込ボックスＳＢに固定するための取付ねじ（図示せず）を挿通するボックス用孔１１がそれぞれ複数個（ここでは２個）ずつ形成される。詳しくは後述するが、この取付片１０は露出パネルＰを装着するためにも用いられる。なお、本実施形態では、本体モジュールＭの器体３は１連用の取付枠（埋込型の配線器具用に規格化されている単位寸法の配線器具を幅方向に３個並べて取付可能な取付枠）を２個まで取付可能な埋込ボックスＳＢに対応する大きさに形成されている。
【００３３】
露出パネルＰは、本体モジュールＭの前面側を覆うパネル本体１２と、パネル本体１２の周囲に一体に形成された矩形枠状のプレート枠１３とを有する。パネル本体１２は、パネルベース１２ａ（図４参照）の前面側にパネルカバー１２ｂ（図４参照）が結合されることで薄箱状に形成されており、パネルベース１２ａとパネルカバー１２ｂとの間に、種々の電気部品が実装されている回路基板（図示せず）等が収納された構成を有する。プレート枠１３は、パネルベース１２ａの外周縁に後述の支持片３４を介して連続一体に形成される。なお、ここでは、露出パネルＰは、上下方向の寸法と左右方向の寸法とのいずれもが本体モジュールＭより大きく設定されている。
【００３４】
パネル本体１２の前壁（パネルカバー１２ｂ）の一部には透明な表示窓１４が配設されており、露出パネルＰは、液晶パネルからなる映像表示部１５（図３参照）をパネル本体１２内における表示窓１４の後方に備えている。さらに、パネル本体１２の前壁には、後方にスピーカ１８ａが配設されるスピーカ取付部１６と、操作部１７（図３参照）としてのスイッチ（図示せず）操作用の操作ハンドル１７ａと、後方にマイクロフォン１８ｂ（図３参照）が配設されるマイク用孔（図示せず）とが配設されている。なお、スピーカ１８ａおよびマイクロフォン１８ｂは、図３に示すように相手側装置との通話時に音声の入出力を行う音声入出力部１８を構成する。
【００３５】
さらに、露出パネルＰは、プレート枠１３の前面の全域を覆う形でプレート枠１３の前面側に覆着される矩形枠状のプレートカバー１９（図１参照）を有し、プレートカバー１９を係着する係着手段をプレート枠１３に具備している。すなわち、プレート枠１３は、プレートカバー１９の背面の複数箇所に突設された係着爪２０（図１０参照）が挿入されることで当該係着爪２０が係止する係着孔２１を係着手段として具備している。係着孔２１は、各係着爪２０に対応する各位置にそれぞれ配置されており、ここでは、プレート枠１３の左右両端部においては上下方向に３箇所ずつ、上端部においては左右方向に２箇所配置されている。プレート枠１３の下端部においては、係着孔２１に代えて係着爪２０に係止する係着片２２が形成される。なお、本実施形態では、壁面からのパネル本体１２の前面の突出高さを壁面からのプレートカバー１９の突出高さに揃えるように、露出パネルＰの壁面からの突出量を設定している。
【００３６】
ここにおいて、情報装置Ａの内部回路は、本体モジュールＭと露出パネルＰとに分割して設けられている。
【００３７】
すなわち、本体モジュールＭは、図３に示すように、電源スイッチ部ＳＷを介して電源端子部６に接続され内部回路に直流電源を供給する電源回路３９（ＡＣ／ＤＣ電源部３９ａおよびＤＣ／ＤＣ電源部３９ｂ）と、情報の授受を行う情報授受口としての信号端子部７に接続された外部インタフェース部４０とを有している。電源スイッチＳＷは、露出パネルＰの装着時にオンするように本体モジュールＭの前面側に露出して配置される。
【００３８】
一方、露出パネルＰは、図３に示すように、音声入出力部１８や映像表示部１５や操作部１７等、電源回路３９から電力供給を受け情報の入出力を行う手段（情報入力手段および情報出力手段）の他、音声入出力部１８および映像表示部１５と外部インタフェース部４０とに接続され、音声信号や映像信号の入出力を行う信号処理部４２と、操作部１７からの操作入力を受け付けて内部回路の各部の動作を制御する全体制御部４３とを備えている。信号処理部４２は、音声信号を増幅するアンプを含む音声処理部４４と、映像信号を復調する復調回路を含み映像表示部１５に映像を表示する映像伝送処理部４５とを有している。なお、本実施形態では、信号線に音声信号と映像信号とが多重化されて伝送されている。そのため、信号処理部４２には、音声処理部４４および映像伝送処理部４５と外部インタフェース部４０との間に挿入され、多重化された音声信号と映像信号とを分離する多重分離部４２ａが設けられている。
【００３９】
ところで、本体モジュールＭと露出パネルＰとのそれぞれには、互いに係合することで本体モジュールＭに露出パネルＰを装着する取付手段が設けられている。
【００４０】
本体モジュールＭにおいては、図２（ａ）のように下側の取付片１０の前面から突出した鉤片２３と、上側の取付片１０に設けた係止孔（固定係止部）２４とが取付手段として設けられている。鉤片２３は、取付片１０の前面から前方に突出し、先端部が上方に延長されることによりＬ字状に形成されており、左右方向に複数個（ここでは２個）並設されている。係止孔２４は、取付片１０における一方のボックス用孔１１の両側方に、それぞれ矩形状に開口する形で貫設されている。
【００４１】
露出パネルＰにおいては、プレート枠１３の下端縁であって各鉤片２３に対応する位置にそれぞれ形成され、鉤片２３の先端部と取付片１０との間に上方から挿入されることで鉤片２３に引っ掛かる引掛片２５と、図２（ｂ）のようにパネル本体１２の背面側であって各係止孔２４に対応する位置からそれぞれ後方に突出する可動爪（可動係止部）２６とが取付手段として設けられている。可動爪２６の先端部には、図４に示すように上方に凸となる係止部２７が設けられており、係止部２７は可動爪２６の基端部側ほど可動爪２６からの突出量が大きくなるように上面が傾斜している。
【００４２】
この構成により、露出パネルＰの引掛片２５を本体モジュールＭの鉤片２３に引っ掛けた状態で、鉤片２３を支点部として本体モジュールＭの前面の下辺周りで露出パネルＰを回転させるように露出パネルＰの上端部を本体モジュールＭ側に押し付けることにより、露出パネルＰの可動爪２６を本体モジュールＭの係止孔２４に挿入し、取付片１０の背面側において係止部２７を係止孔２４の開口周縁に係止させれば、露出パネルＰが本体モジュールＭに装着されることとなる。
【００４３】
ここにおいて、露出パネルＰには、図４および図５に示すように可動爪２６に連結されており、可動係止部としての可動爪２６を固定係止部としての係止孔２４に係合させる係合位置と当該係合を解除させる解除位置との間で本体モジュールＭの前面に沿って上下方向に移動可能な操作子２８が設けられている。すなわち、操作子２８が係合位置にある状態では、可動爪２６は図４のように係止部２７が係止孔２４の開口周縁に係止され、一方、操作子２８を解除位置に移動させると、可動爪２６は図４の位置よりも下方に移動することで係止孔２４の開口周縁との係合が解除される。
【００４４】
操作子２８は、図６に示すように矩形板状の胴部２８ａと、胴部２８ａの上端縁から上方に突出し且つ先端部が前方に屈曲された断面Ｌ字状の操作部２８ｂと、胴部２８ａの下端縁における左右両端部から下方に突出した一対の脚部２８ｃとで構成されており、各脚部２８ｃの先端部がそれぞれ可動爪２６に連結されている。そして、操作子２８は、パネル本体１２内部（ここでは映像表示部１５の後方）に設けた収容空間２９（図４参照）に、操作部２８ｂをパネル本体１２の上端縁から突出させる形で収容されている。ここで、プレート枠１３において操作部２８ｂに対応する部位には、図１（ｂ）に示すように操作部２８ｂを前方に露出させる形に操作窓３０が開口しており、操作子２８の操作部２８ｂは、前記操作窓３０内に配設されることでプレート枠１３の前面側から操作可能となる。操作窓３０はプレート枠１３の上端部において一対の係着孔２１の間に形成される。
【００４５】
上述した構成により、図１（ａ）に示すように露出パネルＰの前面側にプレート枠１３の前面を覆うプレートカバー１９が装着された状態では、操作子２８の操作部２８ｂはプレートカバー１９で覆われて操作不能となり、一方、図１（ｂ）に示すように露出パネルＰからプレートカバー１９を取り外した状態では、操作子２８の操作部２８ｂはプレート枠１３の操作窓３０を通して操作可能となる。要するに、露出パネルＰの着脱を行う際には、プレートカバー１９を外すことで露出パネルＰを容易に着脱可能としながらも、情報装置Ａの普段の使用中においては、プレートカバー１９を装着しておくことで、操作部２８ｂの操作が禁止され、露出パネルＰが本体モジュールＭから不用意に外れてしまうことはない。
【００４６】
しかも、可動爪２６は、１個の操作子２８に設けた一対の脚部２８ｃにそれぞれ連結されているから、１個の操作子２８の操作部２８ｂを操作するだけで、複数個（ここでは２個）の可動爪２６を同時に移動させることができる。したがって、複数個の可動爪２６にそれぞれ連結された複数個の操作子２８を同時に操作する場合に比べて、露出パネルＰを取り外す際の操作子２８の操作が容易になるという利点がある。
【００４７】
さらに、可動爪２６は、図４に示すように本体モジュールＭの取付片１０の背面から後方に突出することになるものの、本実施形態では、可動爪２６が挿通される係止孔２４は、取付片１０における取付ねじ用のボックス用孔１１の両側方に貫設されているため、可動爪２６が壁材Ｗに干渉することはない。つまり、壁材Ｗにおいて埋込ボックスＳＢに対応する部分には、埋込ボックスＳＢに設けた取付ねじ用のねじ孔を全て露出させる大きさの施工孔Ｈ１が開設されているので、可動爪２６において取付片１０の背面から後方に突出した部分は施工孔Ｈ１内に収まることとなり、壁材Ｗに干渉することはない。
【００４８】
ところで、本実施形態では、操作子２８を係合位置側に付勢する付勢手段としてのコイルばね３１を露出パネルＰに具備している。コイルばね３１は、操作子２８の胴部２８ａに形成された複数本（ここでは３本）のスリット２８ｄ内にそれぞれ配設され、スリット２８ｄの上端面に突設されたばね保持片２８ｅが一端部（上端部）に挿入されることで操作子２８に保持される。コイルばね３１の他端部（下端部）はパネル本体１２の収容空間２９内に設けたばね保持部３２（図４参照）に保持される。しかして、操作子２８は、コイルばね３１のばね力によって係合位置にばね付勢され、コイルばね３１のばね力に抗して操作部２８ｂが下方に押操作されることで解除位置に移動する。
【００４９】
これにより、露出パネルＰを本体モジュールＭに装着する際には、露出パネルＰの可動爪２６を本体モジュールＭの係止孔２４に挿入するだけで、コイルばね３１のばね力によって操作子２８が係合位置に付勢され、可動爪２６の係止部２７が係止孔２４の開口周縁に係止することとなる。また、露出パネルＰを本体モジュールＭに装着した状態では、情報装置Ａに衝撃が加わることがあっても、操作子２８は係合位置に付勢されているので、可動爪２６と本体モジュールＭとの係合は維持され、露出パネルＰが本体モジュールＭから外れにくいという利点がある。
【００５０】
また、本実施形態では、パネル本体１２における収容空間２９の後壁（パネルベース１２ａ）に、図５に示すように操作子２８の脚部２８ｃが挿入されることで操作子２８の上下方向への移動をガイドするガイド溝３３が開口している。ガイド溝３３は収容空間２９の後壁を厚み方向に貫通している。ここで、操作子２８の各脚部２８ｃは、図６に示すようにそれぞれの前端部から左右両側方に突設された第１のガイド突起２８ｆを有しており、ガイド溝３３に挿入された状態で、第１のガイド突起２８ｆを収容空間２９の後壁の前面側でガイド溝３３の開口周縁に係止させることにより、後方向への移動が規制される。さらに、各脚部２８ｃは、それぞれの後端部から左右両側方に突設された第２のガイド突起２８ｇを有しており、ガイド溝３３に挿入された状態で、第２のガイド突起２８ｇを収容空間２９の後壁の背面側でガイド溝３３の開口周縁に係止させることにより、前方向への移動が規制される。
【００５１】
要するに、操作子２８は、各脚部２８ｃをそれぞれガイド溝３３に挿入することによって上下方向への移動がガイドされるとともに、第１および第２のガイド突起２８ｆ，２８ｇをガイド溝３３の開口周縁に係止させることによって前後方向への移動が規制されるので、パネル本体１２に対する操作子２８のがたつきがなくなり、操作子２８の操作性が向上する。なお、操作子２８の可動範囲は、胴部２８ａの上端面あるいは下端面が収容空間２９の内面に当接することによって係合位置と解除位置との間に制限される（図４参照）。
【００５２】
さらにまた、操作子２８は、図７に示すように、操作部２８ｂの移動方向（ここでは上下方向）の少なくとも一端面（ここでは上端面）が、本体モジュールＭの前面に沿う断面を弧状とする凹曲面を成すものであってもよい。図７の形状の操作部２８ｂを採用した操作子２８においては、操作部２８ｂの上下両端面が平面の操作子２８に比べて、操作部２８ｂを操作する際に操作者の指が操作部２８ｂに掛かりやすくなり、したがって、操作子２８の操作性が向上するという利点がある。なお、ここでは操作子２８はコイルばね３１によって上方にばね付勢されているため、操作部２８ｂは下方に押操作されるのみであるから、操作部２８ｂの上端面のみに凹曲面を形成しているが、操作部２８ｂの上下両端面に凹曲面を形成してもよい。
【００５３】
ところで、本実施形態では、露出パネルＰは本体モジュールに装着された状態で、図４に示すように本体モジュールＭの周囲の壁面にプレート枠１３を当接させている。そのため、プレート枠１３と壁面との間に隙間が生じると、露出パネルＰと本体モジュールＭとの間に塵埃が入りやすくなったり、見映えが悪くなったりする問題がある。そこで、本実施形態では以下の構成を採用することにより、プレート枠１３と壁面との間に隙間が生じることを防止している。
【００５４】
すなわち、パネル本体１２とプレート枠１３とは、可撓性を有する複数の支持片３４によって一体に連結されており、パネル本体１２とプレート枠１３との間には、支持片３４を設けた部位を除いて隙間が形成される。支持片３４は、図８に示すようにプレート枠１３における各係着孔２１付近にそれぞれ形成されており、プレート枠１３やパネル本体１２に比べて薄く形成されることで可撓性が付与されている。ここで、露出パネルＰは、本体モジュールＭから取り外された状態でプレート枠１３の背面がパネル本体１２の背面よりも後方に位置する（図９に破線で示す）ように、プレート枠１３とパネル本体１２とを支持片３４で連結している。これにより、露出パネルＰを本体モジュールＭに装着した状態では、図９に示すように本体モジュールＭの周囲の壁面にプレート枠１３の背面が弾接することになる。したがって、露出パネルＰを本体モジュールＭに装着した状態では、プレート枠１３と壁面との間に隙間が生じにくくなる。
【００５５】
さらに、プレート枠１３の背面側における壁面との当接部位は、弾性材料（たとえば合成ゴム）から形成されている。したがって、プレート枠１３を壁面に弾接させると、プレート枠１３における壁面との当接部位は壁面の形状に応じて弾性変形することで壁面に密着する。そのため、壁面に多少の凹凸があってもプレート枠１３と壁面との間に隙間を生じることはない。
【００５６】
さらにまた、パネル本体１２の外周面において支持片３４に対応する各部位には、図８に示すように、支持片３４の変形量を規制する規制片３５が突設されている。規制片３５は、図１０に示すように支持片３４に隣接する形で支持片３４の前方に突出している。これにより、プレートカバー１９をプレート枠１３から外す際などに、プレートカバー１９の係着爪２０が係着孔２１の開口周縁に引っ掛かってプレート枠１３が前方に引っ張られることがあっても、支持片３４の前面が規制片３５の背面に当接することでプレート枠１３の前方への移動が規制されるので、プレート枠１３と壁面との間に隙間が生じにくくなる。
【００５７】
なお、本実施形態では可動爪２６が操作子２８に連結された構成を例示したが、可動爪２６は、操作子２８の操作部２８ｂの操作に応じて本体モジュールＭに係合する位置と当該係合を解除する位置との間を移動するものであればよく、操作子２８と別体に形成されていてもよい。
【００５８】
また、本実施形態では本体モジュールＭに固定係止部として係止孔２４を形成し、露出パネルＰには可動係止部として可動爪２６を設ける例を示したが、この構成に限るものではなく、係止孔２４に代えて係止爪を固定係止部として本体モジュールＭに設け、可動爪２６に代えて係止孔２４を可動係止部として露出パネルＰに設けることにより、可動係止部を固定係止部に係合させる構成としてもよい。
【００５９】
（実施形態２）
本実施形態の情報装置Ａは、図１１に示すように操作子２８が棒状であって長手方向の一端部がプレート枠１３と連続一体に形成されている点が実施形態１の情報装置Ａと相違する。
【００６０】
すなわち、本実施形態では、プレート枠１３において上下方向に直交する形で配設された周壁の一部に、厚み方向（上下方向）に貫通するコ字状のスリット孔３６を形成し、当該スリット孔３６に囲まれた部分を操作子２８として用いている。操作子２８の先端部の下面側には可動爪２６が連結されており、操作子２８の先端部の上面には、プレートカバー１９を外した状態でプレート枠１３の前面側から操作可能な操作部２８ｂが形成される。なお、この操作部２８ｂは、指で直接操作されるのではなく、適当な治具（たとえばマイナスドライバの先端部等）で押操作される。
【００６１】
この構成により、操作子２８は基端部を撓ませながら先端部を上下方向に移動させることができ、操作子２８の先端部に連結された可動爪２６は操作子２８の移動に伴って上下方向に移動する。したがって、操作子２８の操作部２８ｂが操作されていない状態では、図１１のように可動爪２６が本体モジュールＭに係合することとなり、操作子２８の操作部２８ｂを下方に押操作すれば、可動爪２６が下方に移動して前記係合が解除される。
【００６２】
その他の構成および機能は実施形態１と同様である。
【００６３】
（実施形態３）
本実施形態の情報装置Ａは、図１２に示すように本体モジュールＭの下側の取付片１０に対し、鉤片２３に代えて引掛孔３７を形成するとともに、露出パネルＰのプレート枠１３の下端部には、引掛片２５に代えて引掛孔３７に挿入される引掛突起３８を突設してある点が実施形態１の情報装置Ａと相違する。
【００６４】
ここで、引掛孔３７の下面の前端部には上方に突出するリブ３７ａが形成されている。引掛突起３８は、図１３に示すように露出パネルＰの背面から後方に突出し先端部が下方に延設された形に形成されており、引掛孔３７内のリブ３７ａに先端部を係止させることにより引掛孔３７から抜け止めされる。
【００６５】
この構成によれば、本体モジュールＭに設けた引掛孔３７に露出パネルＰに設けた引掛突起３８を挿入した状態で、引掛突起３８を支点部として本体モジュールＭの前面の下辺周りで露出パネルＰを回転させるように露出パネルＰの上端部を本体モジュールＭ側に押し付けることにより、露出パネルＰが本体モジュールＭに装着されることとなる。
【００６６】
その他の構成および機能は実施形態１と同様である。
【００６７】
（実施形態４）
本実施形態の情報装置Ａは、露出パネルＰの下端部が回転軸によって本体モジュールＭに枢支される構成とした点が実施形態１の情報装置Ａと相違する。
【００６８】
本実施形態では、図１４（ａ）に示すように本体モジュールＭの下端部に、左右方向に沿って配置される回転軸４６を設けるとともに、露出パネルＰの下端部に、回転軸４６が挿通される軸受部４７を設けてある。軸受部４７は、図１４（ｂ）のようにプレート枠１３の背面から後方に突出し先端部が二股に分割されているものであって、分割された先端部の間隔を広げた状態で先端部同士の間を通して回転軸４６が導入される。
【００６９】
この構成によれば、本体モジュールＭの回転軸４６を露出パネルＰの軸受部４７に軸支させた状態で、回転軸４６を支点部として本体モジュールＭの前面の下辺周りで露出パネルＰを回転させるように露出パネルＰの上端部を本体モジュールＭ側に押し付けることにより、露出パネルＰが本体モジュールＭに装着されることとなる。
【００７０】
また、本実施形態の他の構成例として、図１５（ａ）に示すように、本体モジュールＭの回転軸４６を一端が取付片１０に保持された形に形成し、露出パネルの軸受部４７を前記回転軸４６が他端側から挿入される円筒状に形成したものが考えられる。図１５（ａ）の例では、回転軸４６と軸受部４７とを左右方向に２つずつ並設してある。この構成では、各軸受部４７の開口からそれぞれ回転軸４６が挿入されるように露出パネルＰを左右方向にスライドさせることにより、図１５（ｂ）に示すように回転軸４６を軸受部４７に導入して、露出パネルＰを本体モジュールＭに枢支させることができる。
【００７１】
その他の構成および機能は実施形態１と同様である。
【００７２】
（実施形態５）
本実施形態の情報装置Ａは、図１６（ｂ）に示すように本体モジュールＭの下側の取付片１０に鉤片２３に代えて係止孔２４を形成するとともに、露出パネルＰには引掛片２５に代えて可動爪２６を突設してある点が実施形態１の情報装置Ａと相違する。
【００７３】
すなわち、本実施形態では、本体モジュールＭの上下両端部において、可動爪と係止孔との組み合わせによる結合方式を採用している。そのため、図１６（ａ）に示すように、露出パネルＰには、操作部２８ｂをプレート枠１３の上端部から前面側に露出させる操作子２８に加えて、操作部２８ｂをプレート枠１３の下端部から前面側に露出させる操作子２８が設けられている。ここで、下側の操作子２８は下方の可動爪２６に連結されており、この可動爪２６の先端部には下方に凸となる係止部２７が設けられている。そのため、下側の操作子２８においては、上方に移動するように操作されることで可動爪２６と本体モジュールＭとの係合を解除する。
【００７４】
本実施形態の構成によれば、露出パネルＰを本体モジュールＭに装着する際には、露出パネルＰを本体モジュールＭ側に押し付けることにより、露出パネルＰの全ての可動爪２６を本体モジュールＭの各係止孔２４に挿入し、取付片１０の背面側において全ての可動爪２６の係止部２７を係止孔２４の開口周縁に係止させれば、露出パネルＰが本体モジュールＭに装着されることとなる。
【００７５】
また、露出パネルＰを本体モジュールＭから取り外す際には、プレートカバー１９をプレート枠１３から取り外してから上側の操作子２８の操作部２８ｂを下方に押操作するとともに下側の操作子２８の操作部２８ｂを上方に押操作し、両操作子２８を解除位置に移動させることにより全ての可動爪２６と本体モジュールＭとの係合を解除した状態で露出パネルＰを前方に移動させれば、露出パネルＰが本体モジュールＭから外れることとなる。つまり、露出パネルＰを外す際には、両操作子２８の操作部２８ｂに手を掛けた状態から露出パネルＰを持ち替える必要がないので、露出パネルＰを持ち替える際に露出パネルＰを落とすなどの施工ミスを回避でき、露出パネルＰの脱着作業が簡単になる。
【００７６】
その他の構成および機能は実施形態１と同様である。
【００７７】
ところで、上記各実施形態では、本体モジュールＭを埋込型とした情報装置Ａについて説明したが、本体モジュールＭは埋込型に限るものではなく、図１７に示すように壁面に背面を対向させる形で壁に固定される本体モジュールＭを備えた情報装置Ａに本発明を適用してもよい。
【００７８】
また、上記各実施形態では、相手側装置との間で通信可能となるインターホン親機としての情報装置Ａに本発明を適用する例を示したが、この例に限るものではなく、たとえば太陽光発電の発電量等の情報を監視して表示する装置など、種々の情報装置に本発明を適用することができる。
【図面の簡単な説明】
【００７９】
【図１】本発明の実施形態１の構成を示し、（ａ）はプレートカバーを装着した状態の斜視図、（ｂ）はプレートカバーを外した状態の斜視図である。
【図２】同上の構成を示し、（ａ）は前面側から見た斜視図、（ｂ）は背面側から見た斜視図である。
【図３】同上の構成を示す概略ブロック図である。
【図４】同上の要部を示す断面図である。
【図５】同上の構成を示す背面側から見た斜視図である。
【図６】同上の操作子を示す斜視図である。
【図７】同上の他の構成の要部を示す斜視図である。
【図８】同上の露出パネルを示す斜視図である。
【図９】同上の壁に取り付けた状態を示す上面図である。
【図１０】同上の要部を示す一部破断斜視図である。
【図１１】本発明の実施形態２の構成を示す要部の概略斜視図である。
【図１２】本発明の実施形態３の構成を示す要部の断面図である。
【図１３】同上の露出パネルの要部を示す背面側から見た斜視図である。
【図１４】本発明の実施形態４の構成を示し、（ａ）は要部の斜視図、（ｂ）は（ａ）のＸ−Ｘ断面図である。
【図１５】同上の他の構成を示し、（ａ）は露出パネルを装着前の要部の斜視図、（ｂ）は露出パネルを装着後の要部の斜視図である。
【図１６】本発明の実施形態５の構成を示し、（ａ）は前面側から見た斜視図、（ｂ）は背面側から見た斜視図である。
【図１７】同上の他の構成例を示し、（ａ）は前面側から見た斜視図、（ｂ）は背面側から見た斜視図である。
【符号の説明】
【００８０】
１２  パネル本体
１３  プレート枠
１９  プレートカバー
２４  係止孔（固定係止部）
２６  可動爪（可動係止部）
２８  操作子
２８ｂ  操作部
２８ｆ  第１のガイド突起
２８ｇ  第２のガイド突起
２９  収容空間
３１  コイルばね（付勢手段）
３３  ガイド溝
３４  支持片
３５  規制片
３９  電源回路
Ａ  情報装置
Ｍ  本体モジュール
Ｐ  露出パネル
【図１】
0004835564.tif 000002
【図２】
0004835564.tif 000003
【図３】
0004835564.tif 000004
【図４】
0004835564.tif 000005
【図５】
0004835564.tif 000006
【図６】
0004835564.tif 000007
【図７】
0004835564.tif 000008
【図８】
0004835564.tif 000009
【図９】
0004835564.tif 000010
【図１０】
0004835564.tif 000011
【図１１】
0004835564.tif 000012
【図１２】
0004835564.tif 000013
【図１３】
0004835564.tif 000014
【図１４】
0004835564.tif 000015
【図１５】
0004835564.tif 000016
【図１６】
0004835564.tif 000017
【図１７】
0004835564.tif 000018